(57)【要約】【課題】衛星放送受信用パラボラアンテナの反射鏡面上に堆積した雪を除去することにより、所定のＣ／Ｎを得ることのできる反射鏡アンテナを提供することにある。【解決手段】放送衛星からの電波を反射し、一点に集約する反射鏡部１と、集約された電波を受信するためのコンバータ２と、前記反射鏡部１の形状を支持するための反射鏡支持部３と、前記反射鏡部１を上端部に取着し、前記反射鏡支持部３を貫通している支持柱７と、前記支持柱７に固設され、駆動力を発生する駆動部４と、前記支持柱７に沿って昇降可能であり、前記駆動部４の駆動力を伝達する移動支持部材５と、前記反射鏡部１と前記反射鏡支持部３とを連結している連結条６とを含むよう構成した。【選択図】  図１
2004357221.tif 000002
【特許請求の範囲】
【請求項１】
導電性のある柔軟な材質で構成される凹形状の湾曲面の反射鏡部を有すると共にコンバータを備える反射鏡アンテナであって、
当該反射鏡アンテナの反射鏡部の形状を積雪状態により凸形状に反り返らせるとともに、凸形状に反り返った反射鏡部の形状を反り返る前の凹形状に復元する反り返し・復元手段を具備したことを特徴とする反射鏡アンテナ。
【請求項２】
前記反射鏡部の背面に配置された反射鏡支持部と、この反射鏡支持部および前記反射鏡部を支持する支持柱とを備え、
前記反り返し・復元手段は、前記反射鏡部または前記反射鏡支持部を支持すると共に、前記支持柱に沿って移動する移動支持部材と、
この移動支持部材を前記支持柱に沿って昇降移動させる駆動部と、
前記反射鏡部の周縁および前記反射鏡部の周縁より内側の前記反射鏡支持部に連結される連結条と、
を備えていることを特徴とする請求項１記載の反射鏡アンテナ。
【請求項３】
前記反射鏡部と、これを支持する支持柱と、この支持柱に取り付けられ、前記反射鏡部に隣設された側支柱とを備え、
前記反り返し・復元手段は、前記反射鏡部の周縁端部に設けられている係着具と、この係着具を着脱自在に受け止め、前記側支柱に設けられる掛止部材とを備えていることを特徴とする請求項１記載の反射鏡アンテナ。
【請求項４】
前記コンバータによって受信されたＣ／Ｎを監視する受信Ｃ／Ｎ監視部と、この受信Ｃ／Ｎ監視部の受信Ｃ／Ｎが所定レベル以下となった場合に前記駆動部を作動させる制御部を備えていることを特徴とする請求項１または２記載の反射鏡アンテナ。
【請求項５】
前記駆動部は、屋内に設けた手動スイッチに接続されたことを特徴とする請求項１、２または４のうちいずれか一項に記載の反射鏡アンテナ。
【発明の詳細な説明】
【０００１】
【発明の属する技術分野】
本発明は、反射鏡面上に堆積した雪を除去する反射鏡アンテナに関するものである。
【０００２】
【従来の技術】
豪雪地帯では、屋外に設置されている反射鏡アンテナを用いて送受信を行う場合、降雪や、当該反射鏡アンテナの反射鏡部に堆積した雪により、電界が著しく低下し、そのために所定の受信Ｃ／Ｎ（Ｃａｒｒｉｅｒ／Ｎｏｉｓｅ）を得ることができず、正常な送受信を行うことができない場合がある。
そこで、かかる受信Ｃ／Ｎ劣化を防止するため、従来は、反射鏡面にレドームなどを取り付ける方法（例えば、特許文献１参照）や、反射鏡面にヒーターなどの融雪装置を用いる方法（例えば、特許文献２参照）が開示されている。
【０００３】
【特許文献１】
特開平７−１４７５１０号公報（段落番号［０００６］〜［０００８］、図１）
【特許文献２】
特開平１１−２７０１８号公報（段落番号［００１６］〜［００１９］、図１）
【０００４】
【発明が解決しようとする課題】
しかし、レドームを取り付ける方法では、比較的大きく重い部品であるため、取り扱いが困難であったり、設置条件が厳しいといった問題があった。また、ヒーターなどによる融雪装置を用いる方法では、熱源の確保や構成部品の増加により、低廉な製品を供給することが困難であるという問題があった。
【０００５】
本発明は、前記のような問題に着目して創案されたものであり、その目的は、反射鏡面上に堆積した雪を熱源などの確保を必要とせず、また簡易な構成により除去することのできる反射鏡アンテナを提供することにある。
【０００６】
【発明を解決するための手段】
本発明は、前記課題を解決するため鋭意研究した結果、反射鏡アンテナの反射鏡部の形状を反り返らせる構成を採用することによって雪を取り除くことができることを見出し、本発明を完成するに至った。
【０００７】
すなわち、前記課題を解決し得た本発明のうち請求項１記載の発明は、導電性のある柔軟な材質で構成される凹形状の湾曲面の反射鏡部を有すると共にコンバータを備える反射鏡アンテナであって、当該反射鏡アンテナの反射鏡部の形状を積雪状態により凸形状に反り返らせると共に、凸形状に反り返った反射鏡部の形状を反り返る前の凹形状に復元する反り返し・復元手段を具備したことを特徴とする反射鏡アンテナとして構成した。
【０００８】
本発明に係る反射鏡アンテナは、降雪により凹形状の湾曲面の反射鏡部に雪が堆積すると、反り返し・復元手段が作動して当該反射鏡部の形状を凹形状の湾曲面から凸形状に反り返す。そして、凸形状に反り返した反射鏡部を反り返し・復元手段が再び凹形状の湾曲面に復元する。
【０００９】
また、請求項２に記載の発明は、前記反射鏡部の背面に配置された反射鏡支持部と、この反射鏡支持部および前記反射鏡部を支持する支持柱とを備え、前記反り返し・復元手段は、前記反射鏡部または前記反射鏡支持部を支持すると共に、前記支持柱に沿って移動する移動支持部材と、この移動支持部材を前記支持柱に沿って昇降移動させる駆動部と、前記反射鏡部の周縁および前記反射鏡部の周縁より内側の前記反射鏡支持部に連結される連結条とを備えていることを特徴とする請求項１記載の反射鏡アンテナとして構成した。
【００１０】
このように構成することにより、反射鏡アンテナは、移動支持部材が反射鏡支持部を支持している場合、駆動部により支持柱に沿って移動支持部材を下降方向に移動させると、その反射鏡支持部が反射鏡部から離間するように移動し、連結条を介して反射鏡部の周縁が引っ張られることで凹形状から凸形状に変形する。また、可逆的に駆動部が駆動することにより、移動支持部材を上昇方向に移動させると、離間していた前記反射鏡部および反射鏡支持部が近接し、反射鏡部の形状が凸形状から凹形状に復元する。
【００１１】
さらに、反射鏡アンテナは、移動支持部材が反射鏡部を支持している場合、駆動部により移動支持部材を上昇方向に移動させると、その反射鏡部を反射鏡支持部から離間するように移動し、連結条を介して反射鏡部の周縁が引っ張られることで凹形状から凸形状に変形する。
また、可逆的に駆動部が駆動することにより、移動支持部材を下降方向に移動させると、離間していた前記反射鏡部および反射鏡支持部が近接し、反射鏡部の形状が凸形状から凹形状に復元する。
【００１２】
また、請求項３に記載の発明は、前記反射鏡部と、これを支持する支持柱と、この支持柱に取り付けられ、前記反射鏡部に隣設された側支柱とを備え、前記反り返し・復元手段は、前記反射鏡部の周縁端部に設けられている係着具と、この係着具を着脱自在に受け止め、前記側支柱に設けられる掛止部材とを備えていることを特徴とする請求項１記載の反射鏡アンテナとして構成した。
【００１３】
このように構成することにより、反射鏡アンテナは、凹形状の反射鏡部に雪が堆積すると、その重さにより係着具と掛止部材との係着状態が開放されて、その反射鏡部が凸形状に変形し、堆積した雪を落下させた後に、再びその反射鏡部が有する形状復元力により凹形状に形状を復元して係着具が側支柱の掛止部材に係着される。
なお、この場合における「隣設」とは、前記側支柱に設けられた前記掛止部材が前記反射鏡部の前記係着具を掛止することができる程度の距離を有して前記側支柱が設けられていることをいう。
【００１４】
また、請求項４記載の発明は、前記コンバータによって受信されたＣ／Ｎを監視する受信Ｃ／Ｎ監視部と、この受信Ｃ／Ｎ監視部の受信Ｃ／Ｎが所定レベル以下となった場合に前記駆動部を作動させる制御部を備えていることを特徴とする請求項１または２記載の反射鏡アンテナとして構成した。
【００１５】
このように構成することにより、前記コンバータによって受信されたＣ／Ｎが所定レベル以下となった場合は、前記制御部が反り返し・復元手段としての前記駆動部を作動させることにより前記反射鏡部の凹形状の湾曲面を凸形状に反り返して除雪することができ、また、可逆的に前記駆動部を駆動することによって凸形状に反り返した前記反射鏡部の形状を元の凹形状の湾曲面に復元することができる。ここで、受信されたＣ／Ｎが所定レベル以下となった場合における所定レベルとは、衛星放送等を観賞する場合に、受信している映像や音声が、観賞する者をしてストレスを感じない程度を目安として定められるレベルであって、任意に設定できるレベルをいう。
【００１６】
さらに、請求項５に記載の発明は、前記駆動部は、屋内に設けた手動スイッチに接続されたことを特徴とする請求項１、２または４のうちいずれか一項に記載の反射鏡アンテナとして構成した。
【００１７】
このように構成することにより、受信Ｃ／Ｎ監視部による受信Ｃ／Ｎの監視の有無に関わらず、人が観賞している映像や音声の状態に応じて、人為的に駆動部を駆動させることができる。すなわち、任意に前記反り返し・復元手段を作動し、除雪することが可能な反射鏡アンテナを具現することができる。
【００１８】
【発明の実施の形態】
以下に、本発明に係る反射鏡アンテナの実施の形態を図面に基づいて詳細に説明する。
《第１実施形態》
まず、本発明に係る反射鏡アンテナの第１実施形態について、その構成、および動作等について説明する。
図１は反射鏡アンテナを示す斜視図、図２は反射鏡アンテナの除雪動作を示す斜視図であって、（ａ）は反射鏡部上に積雪した状態を示す斜視図、（ｂ）は反射鏡部が凸形状に反り返り、除雪途中である状態を示す斜視図、（ｃ）は除雪が完了した状態を示す斜視図である。また、図３は反射鏡アンテナの断面説明図である。
【００１９】
〔構成〕
反射鏡アンテナＡは、図１および図２に示すように、放送衛星からの電波を反射して一点に集約する反射鏡部１と、この反射鏡部１で集約された電波を受信するためのコンバータ２と、反射鏡部１に沿って配置された反射鏡支持部３と、この反射鏡支持部３および反射鏡部１を支持する支持柱７と、反射鏡部１を凹形状から凸形状に反り返し、かつ、凸形状から凹形状に復元するための反り返し・復元手段Ｂとを備えている。そして、反り返し・復元手段Ｂは、ここでは、支持柱７に固設された駆動部４と、この駆動部４の駆動力を伝達し、かつ反射鏡支持部３を支持する共に支持柱７に沿って移動させるための移動支持部材５と、反射鏡部１および反射鏡支持部３を連絡する連絡条６とを備えている。
【００２０】
ここで、反射鏡部１は、反射鏡として用いられている凹形状の湾曲面の曲面を有するものであって、その形状が凹形状と凸形状を自在に変更できるものを用いることが好ましい。この反射鏡部１としては、いわゆるソリッド型や、メッシュ型の反射鏡を用いることが可能であるが、メッシュ型の反射鏡を用いると反射鏡部分に積雪し難いことや、完全に除去しきれなかった雪が溶けた場合に容易に排水できるといった利点があるので好ましい。
【００２１】
この反射鏡部１は、例えば、国際公開番号ＷＯ９９／１４８２１に公開されている高周波対応アンテナ用反射材料を用いて構成することを好適に示すことができるが、導電性のある柔軟な材質で構成されていればどのようなものでもよく、これに限定されるものではない。なお、反射鏡部１は、図１に示すようにその反射鏡部１の反射面が鉛直方向上向きとなるように構成することにより、堆積した雪が不均一となった場合の位相の乱れによるＣ／Ｎ劣化を低減させることができる。
【００２２】
また、コンバータ２は、受信用パラボラアンテナに通常用いられているものを用いることができる。このコンバータ２は、支持柱７あるいは反射鏡支持部３に固定される側支柱７７を介して、所定位置に配置されている。ここで、当該所定位置とは、反射鏡部１によって一点に集約された受信電波を、当該コンバータ２によって効率良く受信できる位置をいう。
【００２３】
反射鏡支持部３は、腐食し難いアルミニウムやステンレスなどの他、プラスチック等の素材からなるパイプ材あるいは棒材によって格子状で、反射鏡部１に沿うように形成されている。この反射鏡支持部３は、図３に示すように、支持柱７に近接する基端部分２４が、その支持柱７に沿って筒状に形成され、その筒状の基端部分２４に収納されているボス部材２５を介して支持柱７に沿って摺動可能に構成されている。
【００２４】
反り返し・復元手段Ｂの駆動部４は、電動モータや、サーボモータおよびそれらモータにより回動するプーリ（図示せず）を支持柱７に固設している。なお、これらモータの動力源としては、普段コンバータ２に供給している電源の一部もしくは全部を一時的に使用することにより駆動することができる。
【００２５】
図３に示すように、反り返し・復元手段Ｂの移動支持部材５は、駆動部４と反射鏡支持部３に亘って連絡される引下げ条５１と、この引下げ条５１によって、引下げられる反射鏡支持部３を上方に付勢するバネ部材５２と、このバネ部材５２によって上方に付勢される反射鏡支持部３を所定位置で留め置くストッパ５３とを備えている。
【００２６】
なお、引下げ条５１は、例えばケブラー（登録商標）のような耐切創性のアラミド繊維製糸やプラスチック製あるいは金属製などの紐状あるいは帯状の条部材を用いることができる。また、バネ部材５２、ボス部材２５の防塵等を目的としてこれらの部材をラバー、プラスチック等から構成される保護部材（図示せず）によって覆うように取着することが望ましい。
【００２７】
移動支持部材５は、例えば、図１ないし図３に示すように、引下げ条５１が駆動部４により巻き取られると、反射鏡支持部材３をバネ部材５２に抗して支持柱７に沿って下降させる。また、移動支持部材５は、駆動部４により引下げ条５１が送り出されると、反射鏡支持部３がバネ部材５２によって上方に付勢され支持柱７に沿って上昇して、反射鏡支持部３の摺動上限位置のストッパ５３により、反射鏡支持部３を一定の位置で留め置く。
【００２８】
この移動支持部材５としては、これら引下げ条５１、バネ部材５２およびストッパ５３により構成することができる（図３）が、移動支持部材５はこれに限定されるものではなく、駆動部４の駆動力を反射鏡部１または反射鏡支持部３に伝達し、これらを上昇または下降させることによりそれぞれを相対的に離間できるものであればどのようなものでも用いることができる。なお、反射鏡部１の有する形状復元力が十分に強いものであって、これら部材のうちバネ部材５２を用いずとも凸形状に反り返った反射鏡部１を凹形状に復元できる場合は、バネ部材５２を省略して当該反射鏡アンテナＡを構成することも可能である。
【００２９】
反り返し・復元手段Ｂの連結条６は、例えば、前記したアラミド繊維製の糸を少なくとも２本用いて、これを反射鏡部１の周縁部と、その周辺部より内側の反射鏡支持部３の一部分（好ましくは中央部付近）に連結されている（図２または３参照）。
【００３０】
なお、この連結条６は、使用形態によってかかる構成を種々変更することができる。すなわち、連結条６の取り付け部を反射鏡部１の周縁部分と反射鏡支持部３の中央部分で連結することの他、反射鏡部１の周縁部分と反射鏡支持部３の周縁部分で取着することや、アラミド繊維製の糸ではなく、金属ワイヤーなどの他の材質のものを用いることや、あるいは、連結条６の本数を反射鏡アンテナＡの大きさに合わせて増減するなど、必要に応じて異なる構成とすることができる。
【００３１】
支持柱７は、通常の反射鏡アンテナで用いられる従来公知のものを用いることができ、反射鏡部１および反射鏡支持部３を所定の高さに配置する長さに形成されている。
【００３２】
〔受信Ｃ／Ｎ監視部の構成〕
なお、反射鏡アンテナＡおよび反り返し・復元手段Ｂは、一例として図４および図５に示す受信Ｃ／Ｎ監視部８によって制御されて動作するように構成されている。図４は反射鏡アンテナの動作制御について説明する説明図であり、図５は反射鏡アンテナの動作制御における制御信号等の状態を示す説明図である。
【００３３】
図４に示すように、反射鏡アンテナＡの動作制御は、屋内設備と屋外設備に大別され、屋内設備にはＢＳデジタルチューナーと屋内装置が含まれ、屋外設備には本発明に係る反射鏡アンテナＡと屋外装置が含まれる。
さらに屋内装置は、受信Ｃ／Ｎレベルの監視を、ハイパスフィルタＨＰＦを介して行う受信Ｃ／Ｎ監視部８と、受信Ｃ／Ｎレベルの優劣によってＤＣ１５Ｖの制御を行う屋内装置用制御部９と、屋外装置にＤＣ１５Ｖの重畳を行うＤＣ１５Ｖ重畳部１５とを含む構成となっている。
【００３４】
そして屋外装置は、屋内装置からローパスフィルタＬＰＦを介して供給された電源を振り分けるための電源部１１と、駆動部４を制御するための屋外装置用制御部１０と、屋内装置用制御部９からの信号により、コンバータ２または駆動部４のいずれか一方に電源の供給を切り替えるための切替部１２と、を備えている。
【００３５】
〔動作〕
次に、反射鏡アンテナＡに係る第１実施形態の動作について図２ないし図６を参照して、反射鏡アンテナＡおよび反り返し・復元手段Ｂの動作制御について説明する。
前記構成の反射鏡アンテナＡの動作制御は、通常、放送衛星からの電波を反射鏡アンテナＡの反射鏡面が反射し、反射された電波をコンバータ２が受信し、その受信信号（ＢＳ−ＩＦ）を屋外装置および屋内装置に設置されたハイパスフィルタＨＰＦを介してＢＳデジタルチューナーに送信して、映像を映し出したり、音声等を出力したりしている。
【００３６】
しかし、反射鏡部１上に雪Ｓが堆積すると、コンバータ２によって受信される電波が正常に集約されず、受信Ｃ／Ｎレベルが劣化するので、映像や音声等の質が低下するとともに、受信Ｃ／Ｎ監視部８に入力される受信Ｃ／Ｎレベル（受信信号ａ（ＢＳ−ＩＦ））も低下する（図４の受信信号ａ及び図５（ａ））。
【００３７】
そして、受信Ｃ／Ｎレベルが所定レベルより低下すると、制御信号ｂが受信Ｃ／Ｎ監視部８から屋内装置用制御部９に出力され（図４の制御信号ｂ及び図５（ｂ））、斯かる制御信号ｂを入力した屋内用制御部９は、ＤＣ１５Ｖ制御信号ｄをＤＣ１５Ｖ重畳部１５に出力する（図４の制御信号ｄ及び図５（ｄ））。
【００３８】
ＤＣ１５Ｖ重畳部１５は、通常、屋内装置および屋外装置のそれぞれに設置されたローパスフィルタＬＰＦ及び電源部１１を介して屋外装置の切替部１２に常時電源ＤＣ１５Ｖを供給するとともに、電源部１１を介して屋外装置用制御部１０に電源を供給している。
【００３９】
このＤＣ１５Ｖ重畳部１５は、屋内装置用制御部９から制御信号ｄが入力されると、屋外装置への電源ＤＣ１５Ｖの供給を一時的（例えば１秒間）に停止する（図４の制御信号ｅ及び図５（ｅ））。
【００４０】
前記屋外装置用制御部１０にとって、前記電源ＤＣ１５Ｖは、充電式電源（電源部１１）への電源供給として機能するとともに、制御信号ｅとしても機能するものである。すなわち、電源ＤＣ１５Ｖの供給が前記のように一時的に停止した場合、屋外装置用制御部１０は、電源ＤＣ１５Ｖの供給が停止され、再度電源の供給が開始されたことを電源電圧の立ち上がりによって検出する（図５（ｅ）及び（ｆ））。そして、かかる電源ＤＣ１５Ｖの電圧の立ち上がりを検出すると、切替部１２内に設けられている電源供給先の切替スイッチを切り替える旨の切替部制御信号ｆを出力する（図４の制御信号ｆ及び図５（ｆ））。
【００４１】
切替部制御信号ｆを入力した切替部１２は、電源の供給先をコンバータ２から駆動部４に切り替えることにより、電源ＤＣ１５Ｖを駆動部４に電源を供給する（図４のＤＣ１５Ｖ；ｇ及びｈ並びに図５（ｇ）及び（ｈ））。
【００４２】
駆動部４がＤＣ１５Ｖの供給を受ける（図４のＤＣ１５Ｖ；ｈ）と、駆動部４が駆動し、本発明の第１実施形態に係る反射鏡アンテナＡの反り返し・復元手段Ｂが実行される。また、駆動状態にある駆動部４からは屋外装置用制御部１０に駆動状態である旨の信号（駆動状態信号）ｉが出力される（図４の駆動状態信号ｉ及び図５（ｉ））。
【００４３】
図２（ｂ）および図３（ａ）、（ｂ）に示すように、駆動部４が駆動すると、移動支持部材５の引下げ条５１が駆動部４側に巻き取られて、バネ部材５２の付勢力に抗して反射鏡支持部３を下降させる。そのため、反射鏡支持部３と連結条６を介して連結されている反射鏡部１の外縁部が下方に引下げられて、凹形状の湾曲面を有する反射鏡部１を、凸形状に反り返らせることによって雪Ｓが除去される（図２（ｃ））。
【００４４】
雪Ｓを除雪した後は、駆動部４を可逆的に駆動させるなどにより、図３（ａ）に示すように、バネ部材５２の付勢力によって、反射鏡支持部３を上昇させて反射鏡１の形状を反り返し前の凹形状に復元することができる。
【００４５】
駆動状態が終了し、図４に示すように駆動状態信号ｉの出力が終了すると、屋外装置用制御部１０から切替部１２にコンバータ２へＤＣ１５Ｖの供給を再開する旨の信号（図示せず）が出力され、駆動部４からコンバータ２への電源の供給先の切り替えを行うことにより、再び電源ＤＣ１５Ｖを供給し、電波を受信することのできる通常の反射鏡アンテナＡとすることができる。
【００４６】
以上説明したような制御を行うことにより、反射鏡アンテナＡの反射鏡部１上に堆積した雪を受信Ｄ／Ｃレベルを監視することによって自動的に除去することが可能となる。
【００４７】
なお、屋外装置に設けられている電源部１１は充電電池として機能するよう構成すれば、前記のようにＤＣ１５Ｖが一時的に停止した場合であっても、屋外装置用制御部１０へ電源を供給することができるので、当該屋外装置用制御部１０は正常に動作することが可能である。
【００４８】
また、コンバータ２に供給されていた電源の一部または全部が駆動部４に供給されるため、一時的に受信できない状態となる場合もあるが、インターリーブ方式（特開２００２−２０４１７２号公報参照）による衛星放送によれば、高速メモリ部にデータを一旦保管した後、そのデータを所定の順序で読み出し、ハードディスクドライブ（ＨＤＤ）のランダムアクセスに必要な時間分のデータを前記ＨＤＤに連続的に書込む動作を、インターリーブに利用する領域内のランダムな位置に繰り返し、さらに、ＨＤＤに書込まれたデータを連続的に読み出すこともできるので、一時的な受信Ｃ／Ｎの劣化は何ら問題とならない。
【００４９】
ここで、本発明における「受信Ｃ／Ｎ監視部」としては、例えば、受信を行っているチューナーなどに取り付けられた受信Ｃ／Ｎ監視用の中央処理装置（ＣＰＵ；Ｃｅｎｔｒａｌ  Ｐｒｏｃｅｓｓｉｎｇ  Ｕｎｉｔ）を実装することにより、かかる受信Ｃ／Ｎ監視部を具現することができるが、受信Ｃ／Ｎを常時モニターできる装置であればどのようなものでもよく、これに限定されるものではない。
【００５０】
さらに、本発明の反射鏡アンテナＡは、例えばＢＳ放送等を観賞している者が受信Ｃ／Ｎレベルの低下によって受信状態が悪化していると判断したときに手動スイッチ１３によって人為的に前記反射鏡部１を反り返らせ、除雪することも可能である。
【００５１】
以下、上記の手動スイッチによる反射鏡アンテナＡの動作制御について適宜図４および図６を参照して説明する。
なお、図６は、反射鏡アンテナの動作を手動スイッチによって制御する場合の制御信号等の状態を示す説明図である。
【００５２】
手動スイッチ１３によって反射鏡アンテナＡの反射鏡部１を反り返り・復元手段Ｂを介して反り返らせるには、手動スイッチ１３によって手動入力信号ｃを屋内装置用制御部９に出力する（図４の制御信号ｃ及び図６（ｃ））。
【００５３】
手動入力信号ｃを入力した屋内装置用制御部９は、前記受信Ｃ／Ｎ監視部８からの制御信号ｂを入力したときと同様、ＤＣ１５Ｖ重畳部１５に制御信号ｄを出力する（図４の制御信号ｄ及び図６（ｄ））。
【００５４】
制御信号ｄを入力したＤＣ１５Ｖ重畳部１５は、屋外装置への電源ＤＣ１５Ｖの供給と制御信号ｅの出力を一時的に停止する（図４の制御信号ｅ及び図６（ｅ））。そして、これ以降の各種制御信号や動作等は受信Ｃ／Ｎレベル監視部８による制御と同様の制御となるので、反射鏡部１を反り返し・復元手段Ｂにより反り返らせることにより除雪することができる。なお、その制御および動作状況についての説明は前記と重複するので省略する。
【００５５】
《第２実施形態》
また、本発明の反射鏡アンテナに係る第２実施形態について図７から図９を参照して説明する。なお、図１から図６に示す構成と同じ部材は、同じ符号を付して説明を省略する。
【００５６】
図７は反射鏡アンテナの除雪動作を示す斜視図であって、（ａ）は反射鏡部上に積雪した状態を示す斜視図、（ｂ）は反射鏡部が凸形状に反り返り、除雪途中である状態を示す斜視図、（ｃ）は除雪が完了した状況を示す斜視図、また、図８は反射鏡アンテナの支持柱を、摺動する多段構成としたものの構成縦断面図であって、（ａ）は摺動する内支持柱に反射鏡部を取着した支持柱の構成縦断面図、（ｂ）は内支持柱が摺動した様子を示す縦断面図、図９は反射鏡アンテナの支持柱を、摺動する多段構成としたものの他の態様の構成縦断面図であって、（ａ）は摺動する内支持柱に反射鏡支持部を取着した支持柱の構成縦断面図、（ｂ）は内支持柱が摺動した様子を示す縦断面図、（ｃ）は外支持柱の外観斜視図である。
【００５７】
図７（ａ）〜（ｃ）および図８（ａ）に示す反射鏡アンテナＡ１は、前記第１実施形態に係る反射鏡アンテナＡと同様、反射鏡部１と、コンバータ２と、反射鏡支持部３と、駆動部４と連絡条６によって構成されているが、これの有する反り返し・復元手段が反射鏡アンテナＡと異なるものである。
【００５８】
すなわち、反射鏡アンテナＡ１が備える反り返し・復元手段Ｂ１は、図８（ａ）に示すように、反射鏡部支持部３を支持する外支持柱７１ｂと、これに内接し、反射鏡部１を支持する内支持柱７１ａとからなる伸縮自在な多段構成とされた支持柱７１で構成されており、内支持柱７１ａにはラック１９が設けられ、外支持柱７１ｂには駆動部４が固設され、駆動部４にはピニオン２０が設けられている。
【００５９】
そして、これらラック１９とピニオン２０とは、外支持柱７１ｂに穿設された切り欠き穴２１で連結されている。そのため、駆動部４が駆動すると駆動部４に設けられているピニオン２０が回動し、ラック１９を介して内支持柱７１ａを上昇方向に移動するように構成されている（図８（ｂ））。また、駆動部４を可逆的に動作させることでピニオン２０およびラック１９を介して内支持柱７１ａを下降方向に移動することができる。
【００６０】
反射鏡部１の周縁部と反射鏡支持部３の略中央部分とは、連結条６を介して連結されているので、内支持柱７１ａが上昇すると、反射鏡部１が上昇し、反射鏡支持部３と離間する。そして、周縁部が連結条６によって下方に引っ張られることとなるので、反射鏡部１の中央部分が特に上昇し、凹形状の反射鏡部１が凸形状に変形して反射鏡部１上に堆積した雪を除雪することができる。
なお、このように構成された内支持柱７１ａは支持柱として機能するとともに、前記移動支持部材５としても機能するものである。
【００６１】
従って、第２実施形態の反射鏡アンテナＡ１においては、前記駆動部４が駆動すると前記内支持柱７１ａが伸長し、これに取着されている前記反射鏡部１も凸形状に反り返り（図７（ｂ））、反射鏡部１上に堆積した雪を除雪することができる（図７（ｃ））。また、除雪後は伸長した内支持柱７１ａを縮退させることにより前記反射鏡部１の形状を凹形状に復元することができる。
【００６２】
また、さらなる変形例として、図９（ａ）に示すように、反射鏡アンテナＡ２は、その反り返し・復元手段を、反射鏡支持部３を支持する外支持柱７２ｂと、これと内接し、反射鏡部１を支持する内支持柱７２ａとからなる伸縮自在な多段構成とされた支持柱７２で構成されている反り返し・復元手段Ｂ２としても構わない。
【００６３】
内支持柱７２ａにはラック１９が設けられ、外支持柱７２ｂには反射鏡支持部３と内支持柱７２ａを結合するために、例えば、図９（ｃ）に示すように外支持柱７２ｂ長手方向に移動穴２２が等間隔で４つ設けられ、この移動穴２２を通じて内支持柱７２ａと反射鏡支持部３とが結合部材によって一体的に結合している。
【００６４】
また、この移動穴２２下方部分には駆動部４が固設され（同図（ａ）および（ｂ）参照）、駆動部４にはピニオン２０が設けられている。そして、これらラック１９とピニオン２０とは、外支持柱７２ｂに設けられた移動穴２２、もしくは、別途に設ける切り欠き穴２１（図９においては図示せず）で連結されている。そのため、駆動部４が駆動すると駆動部４に設けられているピニオン２０が回動し、ラック１９を介して内支持柱７２ａおよびこれによって支持されている反射鏡支持部３を、移動穴２２に沿って下降方向に移動させることができる。
【００６５】
この場合、外支持柱７２ｂによって支持されている反射鏡部１は、その周縁部と内支持柱７２ａによって支持されている反射鏡支持部３の略中央部が連結条６によって連結されているので、前記したように内支持柱７２ａおよびこれに結合している反射鏡支持部３が下降すると、連結条６によって反射鏡部１の周縁部が引っ張られ、反射鏡部１の形状が凹形状から凸形状に変形し、反射鏡部１上に堆積した雪を除雪することができる。
【００６６】
ここで、図７から図９に示した第２の実施の形態においては、支持柱７１および７２を２段構成として説明したが、３段以上の構成とすることも可能である。さらに、図９における外支持柱７２ｂに設けている移動穴２２の穿設数も必要に応じて増減することができることはいうまでもない。
なお、受信Ｃ／Ｎ監視部８による制御や、手動スイッチ１３により除雪する場合などにおける制御等は、前記の本発明の第１実施形態において説明したものと同様とすることができるので、説明を省略する。
【００６７】
《第３の実施の形態》
さらに、簡易な構成として、本発明の反射鏡アンテナに係る第３実施形態について図１０から図１２を参照しつつ説明する。
ここで、図１０は反射鏡アンテナの簡易な構成例を示す外観斜視図、図１１は簡易な構成例における反射鏡アンテナの除雪動作を示す縦断面説明図であって、（ａ）は積雪の無い通常状態を示す縦断面説明図、（ｂ）は反射鏡部上に雪が堆積した状態を示す縦断面説明図、（ｃ）は堆積した雪の重量により反射鏡部が反り返り、除雪している状態を示す縦断面説明図、（ｄ）は除雪後に反射鏡部の有する形状復元力によって通常の形状に復元している状態を示す縦断面説明図、図１２は簡単な構成例における反射鏡アンテナの反射鏡部を掛止するための掛止部材の構成例を示す側面視図である。
【００６８】
本発明の反射鏡アンテナに係る第３実施形態では、図１０に示すように駆動部４や、屋内装置および屋外装置を省略した簡易な構成としている。すなわち、本発明の第３実施形態に係る反射鏡アンテナＡ３は、一定の積雪重量を超えた場合に、駆動力等を用いないでも自動的に除雪できるように工夫されたものである。
【００６９】
すなわち、図１０および図１１に示すように、反射鏡アンテナＡ３は、凹形状と凸形状を自在に変更できる反射鏡部１と、反射鏡部１を支持する支持柱７と、この支持柱７に設けた側支柱７７と、この側支柱７７に設けたコンバータ２と、反り返り・復元手段Ｂ３として、反射鏡部１の周縁部に設けた係着具１７および側支柱７７を設けた掛止部材１４と、を備えている。
そして、反り返り・復元手段Ｂ３の掛止部材１４は、通常状態における凹形状の反射鏡部１の周縁部に備えられた係着具１７を掛止できる箇所に隣設されている構成としている。
【００７０】
ここで、係着具１７を掛止する掛止部材１４としては、図１２に示すように、掛止部材アーム１４ａ，１４ｂ，１４ｃとを備え、掛止部材アーム１４ａは、掛止部材アーム１４ｃが反射鏡部１の周縁部に備えられた係着具１７を掛止できるよう、その一端が側支柱７７の任意の位置に固設され、他の一端は回動軸Ｐを中心に掛止部材アーム１４ｂの一端と揺動可能に取り付けられている。そして、掛止部材アーム１４ｂの他の他端は、回動軸Ｑを中心に掛止部材アーム１４ｃと揺動可能に取り付けられている。このように構成することにより、一定の積雪重量までは反射鏡部１の形状を保持することができる。
【００７１】
なお、回動軸Ｐは、図１２中、左側方向において掛止部材アーム１４ａと掛止部材アーム１４ｂが近づく方向に揺動可能なものであるが、例えばバネ１８のような弾性体によって、同図中、これら掛止部材アーム１４ａ，１４ｂが遠ざかる矢印Ｘ方向に付勢力が付勢されている。そして、このようなバネ１８の付勢力を調整することにより、前記反射鏡部Ｐを反り返す雪の重さを変更することができる。
【００７２】
また、回動軸Ｑは、Ｌ字形状の回動制限部材１６により、同図中右側方向において、開度略９０度を最大角度として掛止部材アーム１４ｂと掛止部材アーム１４ｃが近づく方向にのみ揺動可能であるように構成されている。ちなみに、この掛止部材アーム１４ｃは前記係着具１７を掛止する部分に該当するものである。
【００７３】
なお、回動軸Ｑは反射鏡部１が有する形状復元力によって係着具１７を掛止部材１４に掛止させるため、弾性体等による付勢力を付勢させないものとする。また、前記掛止部材アーム１４ｃは一定重量により掛止している係着具１７を外す必要があるので、図面の水平方向からみて例えば３０〜６０度程度の角度をもたせるなど、適度な角度をもたせる構成とすることが好ましい。
【００７４】
前記のように構成された反射鏡アンテナＡ３は、支持柱７に設けられた側支柱７７に掛止部材１４を備えており、係着具１７を掛止している（図１１（ａ））。そのため、反射鏡アンテナＡ３は、掛止部材１４を用いれば、バネ１８の付勢力により一定の積雪重量まで係着具１７を掛止することが可能であり、積雪重量が一定の値を超えるまでは反射鏡部１は凹形状の湾曲面を保持することができる。
【００７５】
しかし、積雪重量がバネ１８の付勢力を上回ると（積雪により反射鏡部１上の積雪重量が前記一定の値を超えた場合は）、バネ１８が重さに耐え切れず縮退し、掛止部材１４ａおよび１４ｂが近づく方向に回転軸Ｐを介して回動する。
【００７６】
その結果、図１１（ｂ）および（ｃ）に示すように、係着具１７は掛止部材１４から外れ、その積雪重量により前記反射鏡部１の形状が凸形状に反り返り、反射鏡部１に溜まった雪Ｓが除雪される（図１１（ｃ））。
【００７７】
また、除雪後は、前記反射鏡部１の有する形状復元力により凹形状に復元し、その復元するときに、係着具１７が掛止部材１４に受け止められる。なお、係着具１７は、いったん掛止部材アーム１４ｃを、回転軸Ｑを中心として跳ね上げ、その掛止部材アーム１４ｃが回動制御部材１６に沿って配置された状態において、再び掛止部材１４に掛止され（図１１（ｄ））、通常形状の反射鏡部１とすることができる（図１１（ｄ）および（ａ）参照）。
【００７８】
以上は、本発明に係る反射鏡アンテナの実施の形態を示すものであるが、本発明はこれに限定されることはなく、適宜変更して実施することが可能である。
例えば、本発明を説明する上で用いた図において、反射鏡面上に均一に雪が堆積し、位相の乱れによるＣ／Ｎ劣化を防ぐことができるよう、反射鏡部１の反射面が鉛直方向上向きとした場合の反射鏡アンテナを例にして説明したが、通常のオフセット型パラボラアンテナのように反射鏡面が設置面に対して傾斜して配置される場合であっても、本発明と同様の機能を用いて、反射鏡部上に積もった雪を除去することができる。
【００７９】
また、前記掛止部材１４は図１２のような構成としたが、さらに簡便な構造として、例えば適度な負荷により揺動可能なスプリングバネや板バネを側支柱７７に取着し、これに係着具１７を掛止／落脱させることによっても掛止部材１４と同様の役割を果たすとすることも可能である。
【００８０】
【発明の効果】
請求項１に記載する発明によれば、本発明に係る反射鏡アンテナは、反り返し・復元手段を具備しており、かつ、反射鏡部は導電性のある柔軟な材質で構成されているので、反射鏡アンテナの反射鏡部の積雪状態に応じて当該反射鏡部を凸形状に反り返して除雪することや、除雪後に、反り返った反射鏡部の形状を凹形状に復元することができる。
【００８１】
請求項２に記載する発明によれば、反射鏡アンテナは、反射鏡部の周縁部と、この周縁部より内側の反射鏡支持部の一部と連結条を介して連結された状態で、移動支持部材が反射鏡あるいは反射鏡支持部を互いに離間させる方向に駆動部を介して移動させることにより、反射鏡部の形状を凸形状に反り返すことができ、除雪作業が簡単な構成で適切に行なうことが可能となる。
【００８２】
請求項３に記載する発明によれば、反射鏡アンテナは、掛止部材と係着具によって反り返り・復元手段を構成するため、さらに簡略化した構成のみで、除雪することができ、簡便、安価かつ自動で除雪する機能を有することが可能となる。
【００８３】
請求項４に記載する発明によれば、反射鏡アンテナは、コンバータによって受信されたＣ／Ｎが所定レベル以下となった場合は、制御部が反り返し・復元手段としての駆動部を作動させるので、自動的に反射鏡部の形状を反り返し、除雪することができ、また、可逆的に作動させることにより、反り返した形状を復元することもできる。
【００８４】
さらに、請求項５に記載する発明によれば、反射鏡アンテナは、放映されている映像や音声の状態に応じて、屋外に出ることなく、人為的に駆動部を駆動させることができる。すなわち、任意に前記反り返し・復元手段を作動し、除雪することが可能な反射鏡アンテナを具現することができる。
【図面の簡単な説明】
【図１】反射鏡アンテナを示す斜視図である。
【図２】反射鏡アンテナの除雪動作を示す斜視図であって、（ａ）は反射鏡部上に積雪した状態を示す斜視図、（ｂ）は反射鏡部が凸形状に反り返り、除雪途中である状態を示す斜視図、（ｃ）は除雪が完了した状態を示す斜視図である。
【図３】反射鏡アンテナの断面説明図である。
【図４】反射鏡アンテナの動作制御について説明する説明図である。
【図５】反射鏡アンテナの動作制御における制御信号等の状態を示す説明図である。
【図６】反射鏡アンテナの動作を手動スイッチによって制御する場合の制御信号等の状態を示す説明図である。
【図７】反射鏡アンテナの除雪動作を示す斜視図であって、（ａ）は反射鏡部上に積雪した状態を示す斜視図、（ｂ）は反射鏡部が凸形状に反り返り、除雪途中である状態を示す斜視図、（ｃ）は除雪が完了した状況を示す斜視図である。
【図８】反射鏡アンテナの支持柱の構成縦断面図であって、（ａ）は摺動する内支持柱７１ａに反射鏡部１を取着した反射鏡アンテナの構成縦断面図、（ｂ）は摺動する内支持柱７１ａに反射鏡支持部３を取着した反射鏡アンテナの構成縦断面図、（ｃ）は（ｂ）における外支持柱７１ｂの上端部外観斜視図である。
【図９】反射鏡アンテナの支持柱を、摺動する多段構成としたものの他の態様の構成縦断面図であって、（ａ）は摺動する内支持柱７２ａに反射鏡支持部３を取着した支持柱７２の構成縦断面図、（ｂ）は内支持柱７２ａが摺動した様子を示す縦断面図、（ｃ）は外支持柱７１ｂの外観斜視図である。
【図１０】反射鏡アンテナの簡易な構成例を示す外観斜視図である。
【図１１】簡易な構成例における反射鏡アンテナの除雪動作を示す縦断面説明図であって、（ａ）は積雪の無い通常状態を示す縦断面説明図、（ｂ）は反射鏡部上に雪が堆積した状態を示す縦断面説明図、（ｃ）は堆積した雪の重量により反射鏡部が反り返り、除雪している状態を示す縦断面説明図、（ｄ）は除雪後に反射鏡部の有する形状復元力によって通常の形状に復元している状態を示す縦断面説明図である。
【図１２】簡単な構成例における反射鏡アンテナの反射鏡部を掛止するための掛止部材の構成例を示す側面視図である。
【符号の説明】
１                    反射鏡部
２                    コンバータ
３                    反射鏡支持部
４                    駆動部
５                    移動支持部材
６                    連結条
７，７１，７２        支持柱
７７                  側支柱
８                    受信Ｃ／Ｎ監視部
９                    屋内装置用制御部
１０                  屋外装置用制御部
１１                  電源部
１２                  切替部
１３                  手動スイッチ
１４                  掛止部材
１５                  ＤＣ１５Ｖ重畳部
１７                  係着具
Ａ，Ａ１，Ａ２，Ａ３  反射鏡アンテナ
Ｂ，Ｂ１，Ｂ２，Ｂ３  反り返し・復元手段
【図１】
2004357221.tif 000003
【図２】
2004357221.tif 000004
【図３】
2004357221.tif 000005
【図４】
2004357221.tif 000006
【図５】
2004357221.tif 000007
【図６】
2004357221.tif 000008
【図７】
2004357221.tif 000009
【図８】
2004357221.tif 000010
【図９】
2004357221.tif 000011
【図１０】
2004357221.tif 000012
【図１１】
2004357221.tif 000013
【図１２】
2004357221.tif 000014